(57)【要約】【課題】安価で、加工が容易で、軽量で、しかもコイルにあるようなスプリングバックも無く口元に吐出体を位置させるのが極めて容易な酸素富化機を提供する。【解決手段】酸素富化空気を発生させる酸素富化手段（図示せず）と、酸素富化空気を吐出する吐出体（図示せず）と、酸素富化手段と吐出体とを連通する空気通路の一部に配され折り曲げ自在の自在継手部２９とを備え、自在継手部２９を、吐出体に連結される継パイプ４１と、軟質材から形成され端部が継パイプ４１に接続される外チューブ４５と、外チューブ４５内に収納され酸素富化空気を搬送する内チューブ４６と、同じく外チューブ４５内にかつ内チューブ４６に沿うように収納され折り曲げ自在の板バネ４８で形成したもので、安価で、加工が容易で、軽量でしかも自在継手部２９の外径寸法を著しく小さくすることができ取り扱いが容易である。【選択図】図１１
2005261707.tif 000002
【特許請求の範囲】
【請求項１】
酸素濃度の高い酸素富化空気を発生させる酸素富化手段と、前記酸素富化空気を吐出する吐出体と、前記酸素富化手段と前記吐出体とを連通する空気通路の一部に配され折り曲げ自在の自在継手部とを備え、前記自在継手部を、前記吐出体に連結される継パイプと、軟質材から形成され端部が前記継パイプに接続される外チューブと、前記外チューブ内に収納され前記酸素富化空気を搬送する内チューブと、同じく前記外チューブ内にかつ前記内チューブに沿うように収納され折り曲げ自在の金属部材で形成した酸素富化機。
【請求項２】
内チューブを抗菌剤を含有する材料で形成した請求項１記載の酸素富化機。
【請求項３】
金属部材を平板状に形成した請求項１または２記載の酸素富化機。
【請求項４】
金属部材の少なくとも一端を略Ｕ字状に折り返した請求項１〜３のいずれか１項記載の酸素富化機。
【請求項５】
外チューブの端部を挟むようにして金属部材を折り返した請求項４記載の酸素富化機。
【請求項６】
金属部材の少なくとも一端を平板状に形成し、継パイプに前記平板状端部の回り止め用のリブを一体に形成した請求項１〜５のいずれか１項記載の酸素富化機。
【請求項７】
金属部材を保護チューブで被覆した請求項１〜６のいずれか１項記載の酸素富化機。
【請求項８】
外チューブの少なくとも一方の端部の内側と、内チューブと、金属部材のそれぞれの間の隙間を軟質部材で埋めるようにした請求項１〜７のいずれか１項記載の酸素富化機。
【請求項９】
金属部材と内チューブとを一体的に形成した請求項１〜６のいずれか１項記載の酸素富化機。
【請求項１０】
金属部材を線状のバネ材を複数撚り合わせて形成した請求項１、２、４〜８のいずれか１項記載の酸素富化機。
【請求項１１】
金属部材を内チューブの外周に螺旋状に巻きつけられた複数の線材で形成した請求項１、２、４〜８のいずれか１項記載の酸素富化機。
【請求項１２】
外チューブに厚肉部を設けた１〜１１のいずれか１項記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機として、空気中の酸素を濃縮して酸素富化空気を発生させる酸素濃縮モジュールと、これに真空チューブを介して接続された真空ポンプと、ヘッドホンタイプの音声出力部と、前記音声出力部に可動部を介して連結され酸素濃縮空気を使用者の口元に吐出する酸素取入口と、前記真空ポンプの出力側と前記酸素取入口とを連通する酸素濃縮空気出力ラインを設け、酸素取入口を人体の口の部分に位置させることで酸素吸入できるようにしたものがある。前記可動部は、酸素濃縮空気を酸素取入口に搬送するチューブとそのチューブの外周に巻かれた金属性のコイルから形成され、使用者が自分の口元に酸素取入口がくるようにコイルを曲げて調整していた（例えば、特許文献１参照）。
【特許文献１】特開平３−６３０６７号公報
【発明の開示】
【発明が解決しようとする課題】
【０００３】
しかしながら前記従来の構成においては、可動部が、酸素濃縮空気を酸素取入口に搬送するチューブとそのチューブの外周に巻かれた金属性のコイルから形成されていた為、使用者が自分の口元に酸素取入口がくるようにコイルを曲げて、手を離すとスプリングバックで、酸素取入口が口元から離れたり、それを予期して強めにコイルを曲げたりすると酸素取入口が口に当たったりし、調整が難しく、又調整に手間取ったり、不快に感ずるといった課題があった。また、チューブの外周にコイルが巻かれているため外径が大きくなり扱いづらいという課題もあった。
【０００４】
本発明は、前記従来の課題を解決するもので、安価で、酸素取り入れ口の位置調整が極めて容易で使い勝手が良い酸素富化機を提供することを目的とする。
【課題を解決するための手段】
【０００５】
前記従来の課題を解決するために、本発明の酸素富化機は、酸素濃度の高い酸素富化空気を発生させる酸素富化手段と、前記酸素富化空気を吐出する吐出体と、前記酸素富化手段と前記吐出体とを連通する空気通路の一部に配され折り曲げ自在の自在継手部とを備え、前記自在継手部を、前記吐出体に連結される継パイプと、軟質材から形成され端部が前記継パイプに接続される外チューブと、前記外チューブ内に収納され前記酸素富化空気を搬送する内チューブと、同じく前記外チューブ内にかつ前記内チューブに沿うように収納され折り曲げ自在の金属部材で形成したもので、従来のコイルを用いたものに較べ、安価で、加工が容易で、軽量でしかも自在継手部の断面積、即ち外径寸法を著しく小さくすることができ、取り扱いが容易でしかも、コイルにあるようなスプリングバックも無いので、口元に吐出体を位置させるのも極めて容易である。
【発明の効果】
【０００６】
本発明の酸素富化機は、安価で、加工が容易で、軽量で、しかもコイルにあるようなスプリングバックも無いので、口元に吐出体を位置させるのが極めて容易な酸素富化機を提供することができる。
【発明を実施するための最良の形態】
【０００７】
第１の発明は、酸素濃度の高い酸素富化空気を発生させる酸素富化手段と、前記酸素富化空気を吐出する吐出体と、前記酸素富化手段と前記吐出体とを連通する空気通路の一部に配され折り曲げ自在の自在継手部とを備え、前記自在継手部を、前記吐出体に連結される継パイプと、軟質材から形成され端部が前記継パイプに接続される外チューブと、前記外チューブ内に収納され前記酸素富化空気を搬送する内チューブと、同じく前記外チューブ内にかつ前記内チューブに沿うように収納され折り曲げ自在の金属部材で形成したもので、従来のコイルを用いたものに較べ、安価で、加工が容易で、軽量でしかも自在継手部の断面積、即ち外径寸法を著しく小さくすることができ、取り扱いが容易でしかも、コイルにあるようなスプリングバックも無いので、口元に吐出体を位置させるのも極めて容易である。
【０００８】
第２の発明は、特に、第１の発明の内チューブを抗菌剤を含有する材料で形成したもので、万一内チューブ内に雑菌が入ってきても、それが増殖することが無いので、極めて衛生的である。
【０００９】
第３の発明は、特に、第１又は第２の発明の金属部材を平板状に形成したもので、安価で、加工が容易で、軽量でしかも自在継手部の外径寸法を著しく小さくすることができ、取り扱いが容易である。
【００１０】
第４の発明は、特に、第１〜３のいずれか１つの発明の金属部材の少なくとも一端を略Ｕ字状に折り返したもので、継パイプに外チューブを挿入し固定する際に、折り返された金属部材のエッジ部分が継パイプの内壁に引っ掛かり、回り止め強度、抜け止め強度が向上する。
【００１１】
第５の発明は、特に、第４の発明の外チューブの端部を挟むようにして金属部材を折り返したもので、金属部材の端部で外チューブの端部が挟まれているので、金属部材と外チューブ間の長手方向、周方向での位置ずれが起きる事が無い。
【００１２】
第６の発明は、特に、第１〜５のいずれか１つの発明の金属部材の少なくとも一端を平板状に形成し、継パイプに前記平板状端部の回り止め用のリブを一体に形成したもので、金属部材の継パイプ内での周り止めを確実に行なうことができる。
【００１３】
第７の発明は、特に、第１〜６のいずれか１つの発明の金属部材を保護チューブで被覆したもので、自在継手部を折り曲げた時に、金属部材のエッジ部で外チューブが損傷する事が無く、また保護チューブの分厚みが増えるので、自在継手部を折り曲げた時、外チューブが凹むようにして折れ曲がる事がない。
【００１４】
第８の発明は、特に、第１〜７のいずれか１つの発明の外チューブの少なくとも一方の端部の内側と、内チューブと、金属部材のそれぞれの間の隙間を軟質部材で埋めるようにしたもので、万一内チューブの端部から酸素富化空気が漏れても、それが外チューブ内に漏れる事が無いので、酸素富化空気を確実に内チューブ内を通す事ができる。
【００１５】
第９の発明は、特に、第１〜６のいずれか１つの発明の金属部材と内チューブとを一体的に形成したもので、これにより、別部品の保護チューブが不要になるので、組み立てが容易になるものである。
【００１６】
第１０の発明は、特に、第１、２、４〜８のいずれか１つの発明の金属部材として線状のバネ材を複数撚り合わせて形成したもので、板状の金属部材と異なり、撓み方向が自在になるので扱いやすく、又バネ材の１本が万一折れても、他が残っていれば、当面使用できるので、突然酸素富化機が使用不能に成る事がない。
【００１７】
第１１の発明は、特に、第１、２、４〜８のいずれか１つの発明の金属部材を内チューブの外周に螺旋状に巻きつけられた複数の線材で形成したもので、金属部材の各線材が軸対象となり、バランスが良く、曲げ方向による曲げやすさのばらつきが無くなり、非常に扱いやすくなるものである。また、組み立ての際内チューブの端面が無理無くまっすぐに挿入できる。
【００１８】
第１２の発明は、特に、第〜１１のいずれか１つの発明の外チューブに厚肉部を設けたもので、厚肉部により、外チューブのこしが強くなり、自在継手部を曲げた時に外チューブが内側に凹んで曲がることが無いので、美観を損ねる事が無く、また使用時に外チューブにひねりが加わっても、内部の金属部材や、内チューブがずれる事が無い。
【００１９】
以下、本発明の実施の形態について、図面を参照しながら説明する。なお、この実施の形態によって本発明が限定されるものではない。
【００２０】
（実施の形態１）
以下、本発明の第１の実施の形態における酸素富化機について図１〜１１を用いて説明する。
【００２１】
図において、本体１の内部には、酸素の濃度を高め、いわゆる酸素富化空気を発生させる酸素富化手段となる酸素富化膜ユニット２が設けられている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット２を通過後の酸素富化空気においては、酸素が占める割合が約３０％（窒素約７０％）となる。
【００２２】
また、前記酸素富化膜ユニット２は、図５、６に示すようにメッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００２３】
また、本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するためのモータファン等の送風部（以下、「ファン」と称す）９を有している。また前記ファン９は、酸素富化膜ユニット２の下流側で、排気口８の近傍に設けられており、ファン９に対して、酸素富化膜ユニット２の反対側には回路７０を、その基板７０ａがフレーム３と平行になるように取り付けられている。
【００２４】
１０は吸引手段となるポンプで、本体１内の酸素富化膜ユニット２の下方に設けられ、回転軸の両端に冷却用のファン１０ｂを有し、本体１の背面に設けた冷却用吸気口３６より外気を吸引してモータ１０ａを冷却するとともに、酸素富化膜ユニット２の周辺の空気を酸素富化膜４を通してフレーム３の通路内に吸引して下流側に送る。そして更にこのポンプ１０は、酸素富化膜４を通過した後の酸素富化空気を、下流側の消音パイプ１１を介して、本体１の側面に設けられた吐出部１２に送り、さらに吐出部１２と連結される酸素富化空気吐出手段となるヘッドセットユニット１３に送り込んでいる。また前記ポンプ１０には、酸素富化膜４の通過圧損に対抗して酸素富化空気の流量を稼ぐために運転時の圧力が高いベローズポンプが用いられている。
【００２５】
また、１４は本体１を持ち運ぶ際に使用する把手であり、回転軸部１５を中心に回動自在に設けられている。また１６、１７は、内ケース左、内ケース右であり、酸素富化膜ユニット２とポンプ１０を内蔵する内ケースを構成し、それぞれの上方に把手１４の回転軸部１５を直接受ける軸受け部１８、１９を一体に設けている。また２０は、ヘッドセットユニット１３を使用しない時に、それを引っ掛けて保持しておくための、保持部であり、その外端は大径部としてある。前記保持部２０は前記把手１４の回転軸部１５と一体に設けられており、本体１の側面に別途設ける必要が無く、把手１４の回動の邪魔になることもない。また回転軸部１５と一体に設けられているため、外観のデザイン性も違和感が無く、良いものである。
【００２６】
ヘッドセットユニット１３は、本体１側面に回動可能に取り付けた曲がり管によって構成された吐出部１２に連結され、使用者が酸素富化空気を吸引するための吐出体２１を有している。また、本体１の側面に設けた吐出部１２とヘッドセットユニット１３との間の経路には、液だまり２２と、吐出部１２と前記液だまり２２とを接続する塩化ビニル等の柔軟な透明チューブからなる第一の連結管２３と、前記液だまり２２と前記ヘッドセットユニット１３を接続する塩化ビニル等の透明チューブからなる柔軟な第二の連結管２４とを備えている。そして上記第一の連結管２３と、第二の連結管２４は抗菌剤か帯電防止剤あるいはその両方を含んでおり、それぞれは液だまり２２で着脱自在に接続されている。
【００２７】
また、前記ヘッドセットユニット１３は、耳当て部左２５と、耳当て部右２６と、耳当て部左２５と耳当て部右２６を接続するヘッドバンド２７と、耳当て部左２５に回動自在に設けられかつＶ字状の連結管２５ａを備えた回転アーム２５ｂと、酸素富化空気を吐出する吐出体２１と、連結管２５ａの一端と吐出体２１を連通するとともに、図８に示すように、折り曲げ自在の自在継手部２９とを備えている。
【００２８】
吐出体２１は自在継手部２９に対して３６０度全方向に可変自在に取り付けられている。また、液だまり２２にその一端を接続された前記第二の連結管２４も、前記自在継手部２９同様、その他端を、連結管２５ａの他端に着脱自在に連結されている。
【００２９】
図７に示すように、液だまり２２はＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。この時ねじ方式では１回転以内のねじりにより分離・結合が可能となるようにしてある。また、液だまり２２と第一の連結管２３との接続部、及び前記液だまり２２と第二の連結管２４との接続部から、それぞれ前記液だまり２２内に突き出た管部Ａ３０、管部Ｂ３１を設けるとともに、前記管部Ａ３０と管部Ｂ３１は、互いに管の中心軸をずらして設けてある。
【００３０】
次に、吐出体２１の構成について図９、１０を用いて説明する。
【００３１】
図９は、吐出体２１の平面図で、図１０は、同吐出体２１の断面図である。図において、吐出体２１は、継パイプ４１が着脱自在に、かつ回動自在に嵌合する吸気口部４２と、吸気口部４２が着脱自在に装着されると共に周壁の一部に連通口４３ａを有するフイルター押さえ４３と、フイルター押さえ４３の外周に回転自在に嵌合する調整リング４４を備えている。
【００３２】
３５は、抗菌材アメニトップのＨＥＰＡフィルター等の高捕集効率フィルター（以下、「抗菌材アメニトップのＨＥＰＡフィルター」と称す）であり、その下流側に、ハニカム基材に酵素を添着したバイオ除菌フィルター等の除菌フィルター（以下、「バイオ除菌フィルター」と称す）３４が配され、両フィルターは、図に示すように吸気口部４２と、フイルター押さえ４３とで挟持されている。
【００３３】
バイオ除菌フィルター３４は、キャッチした菌などの活動を抑制し、さらにウイルスの活動も抑制する。また前記抗菌材アメニトップのＨＥＰＡフィルター３５は、０．３ミクロンの粒子を９９．７％除去するとともに、抗菌材アメニトップの働きで捕集した菌、カビの活動を制御するものである。
【００３４】
４２ａ、４３ｂは、それぞれ吸気口部４２とフイルター押さえ４３との間、フイルター押さえ４３と調整リング４４との間の気密を保つための、Ｏ−リングである。
【００３５】
調整リング４４の周壁には、開口面積の大きい連通口（大）４４ａと、開口面積の小さな連通口（小）４４ｂが設けられ、いずれも吐出体２１の長手方向でフイルター押さえ４３ａに設けた連通口４３ａと同一の位置に、即ち、調整リング４４を回動させた時に、連通口４３ａが閉じられたり、連通口４３ａが連通口（大）４４ａまたは、連通口（小）４４ｂと、連通するようになっている。
【００３６】
４３ｄは、フイルター押さえ４３に収納され、ボール４３ｃを調整リング４４の内壁に付勢するバネで、フイルター押さえ４３を回動させた時に、クリック感が得られるようにしたものである。
【００３７】
次に、自在継手部２９の構成について、図１１を用いて説明する。
【００３８】
自在継手部２９は、吐出体２１に着脱自在にかつ回動自在に装着される継パイプ４１と、軟質材で形成され端部が継パイプ４１に挿入され接着剤４１ａで接着される外チューブ４５と、外チューブ４５内に収納され、酸素富化空気を搬送する内チューブ４６と、同じく外チューブ４５内にかつ内チューブ４６に沿うように収納され、熱収縮チューブなどからなる保護チューブ４７で被覆された平板状の金属部材である板バネ４８から構成されている。
【００３９】
板バネ４８の端部は、図１１に示すように、外チューブ４５の端面の一部を挟みこむ様に折り曲げられている。なお、図示しないが、連結管２５ａと外チューブ４５、内チューブ４６の取りつけ構成は、継パイプ４１と外チューブ４５、内チューブ４６との取り付け構成と同一である。
【００４０】
また、３２は本体１の天面に設けられた運転スイッチであり、３３は、同じく本体１の天面に設けられ、選択されたタイマーによる運転時間あるいは送風運転の通電状態を表示するランプである。そして５０は本体１の前面に設けられ、高酸素濃度のいわゆる酸素富化空気の供給をしている時のみ点灯表示する表示手段で、ＬＥＤで構成してあり、この実施例では緑色に光るように構成してある。
【００４１】
次に、上記構成に基づく本実施の形態における酸素富化機の動作について、説明する。
【００４２】
運転スイッチ３２をＯＮ操作すると、ポンプ１０に動作電源が供給され通電状態を示すランプ３３が点灯するとともに、タイマー（図示せず）で設定した時間に応じてポンプ１０が運転し、かつファン９が作動する。そしてファン９の運転により本体１に設けた吸気口７より外気が吸引され、この外気は酸素富化膜ユニット２を通り、排気口８から本体外に排出される。一方、前記酸素富化膜ユニット２を通る外気はこれを通過する際、ポンプ１０の運転により空気が酸素富化膜ユニット２のフレーム３内に吸引され、その際酸素が通過しやすいところから酸素富化された空気となる。そしてこの酸素富化空気は吐出部１２に送出され、当該吐出部１２より吐出される。
【００４３】
上記吐出部１２より吐出される酸素富化空気は、第一、第二連結管２３、２４、連結管２５ａ、自在継手部２９内の内チューブ４６を経て、フイルター押さえ４３の連通口４３ａに至る。ここで、調整リング４４を回動させて、その連通口（大）４４ａ又は連通口（小）４４ｂを、フイルター押さえ４３の連通口４３ａと重ね合わせて連通させるとそこから酸素富化空気が吐出する。
【００４４】
そして、使用者はヘッドセットユニット１３を頭部にセットし、自在継手部２９の曲がり具合を調整して、吐出体２１を使用者の口や鼻に近づけることにより、吐出体２１の連通口（大）４４ａ又は連通口（小）４４ｂから吐出される酸素富化空気を、口や鼻から吸引できるようになる。
【００４５】
そして、ポンプ１０からの吹き出す風量が一定に制御されている場合は、連通口（小）４４ｂを使用する場合、その開口面積が狭いので、酸素富化空気の吹き出す風速は速くなる。連通口（大）４４ａを使用する場合は、開口面積が広いので、吹き出す風速は遅くなることになる。
【００４６】
このように、使用者が調整リング４４を回転させることにより自由に吐出体２１から吹き出す風速を調整することができ、使用している間に吹出し風が当たっている口元の皮膚の感覚が麻痺してしまい、風速が弱まったように感じられてしまった場合は、調整リング４４を回転させて、連通口（小）４４ｂから吹き出させるようにすれば、吹き出す風速は速くなり、勢い良く口元に酸素富化空気を当てることができる。
【００４７】
逆に、冬場などの寒い時期に使用した場合、吹出し風の気温が低い為に吹出し風が当たっている口元の皮膚が冷たく感じられるという時には、調整リング４４を回転させて、連通口（大）４４ａから吹き出させるようにすれば、吹き出す風速は遅くなり、口元に酸素富化空気を弱く柔らかに当てることができる。
【００４８】
本実施の形態では、自在継手部２９に可撓性を持たせるために板バネ４８を使用しているので、従来のチューブの外周にコイルを用いたものに較べ、安価で、加工が容易で、軽量でしかも自在継手部２９の断面積、即ち外径寸法を著しく小さくすることができ、取り扱いが容易でしかも、コイルにあるようなスプリングバックも無いので、口元に吐出体２１を位置させるのも極めて容易である。
【００４９】
又、板バネ４８の端部を、外チューブ４５の端面の一部を挟みこむように折り曲げているので、継パイプ４１に外チューブ４５を挿入し固定する際に、板バネ４８のエッジ部分が継パイプ４１の内壁に引っ掛かり、回り止め強度、抜け止め強度が向上する。さらに、板バネ４８の端部で外チューブ４５の端部が挟まれているので、板バネ４８と外チューブ４５間の長手方向、周方向での位置ずれが起きる事が無い。
【００５０】
又板バネ４８が保護チューブ４７で覆われているので、自在継手部２９を折り曲げた時に、板バネ４８のエッジ部で外チューブ４５が損傷する事が無く、また保護チューブ４７の分厚みが増えるので、自在継手部２９を折り曲げた時、外チューブ４７が凹むようにして折れ曲がる事がない。
【００５１】
また、内チューブ４６を、抗菌剤を含有又は塗布された材料で形成すれば、万一内チューブ４６内に雑菌が入ってきても、それが増殖することが無いので、極めて衛生的である。
【００５２】
また、自在継手部２９の先端に設けた継パイプ４１が吐出体２１に３６０度回動自在に設けられている為、吐出体２１を回動させることにより吐出体２１からの酸素富化空気の吹き出す方向を３６０度全方向に自在に設定することができる。
【００５３】
また上記実施の形態では表示手段５０としてＬＥＤで構成したがランプ等であってもよく、また、点灯ではなく輝度を変えたり点滅させるなどしてもよく、所期の目的を達成するものであればどのように構成してもよいものである。
【００５４】
（実施の形態２）
図１２は、本発明の第２の実施の形態における酸素富化機の自在継手部と継パイプとの接続部の構成を示す図である。なお、上記実施の形態と同一部分については、同一符号を付してその説明を省略する。
【００５５】
本実施の形態は、図１２に示すように、継パイプ４１の内壁に板バネ４８の周り止め用のリブ４１ｂを設けたもので、周り止めをより確実に行なうことができる。また、同図に示すように、外チューブ４５の少なくとも一方の端部の内側と内チューブ４６、板バネ４８との隙間を軟質部材４９で埋めるようにすれば、万一内チューブ４６の端部から酸素富化空気が漏れても、それが外チューブ４５内に漏れる事が無いので、酸素富化空気を確実に内チューブ４７内を通す事ができる。
【００５６】
（実施の形態３）
図１３は、本発明の第３の実施の形態における酸素富化機の自在継手部の正面図と断面図である。なお、上記実施の形態と同一部分については、同一符号を付してその説明を省略する。
【００５７】
上記第１の実施の形態では、板バネ４８に保護チューブ４７を被せたが、本実施の形態は、板バネ４８と内チューブ４６とを一体的に形成したもので、これにより、別部品の保護チューブ４７が不要になるので、組み立てが容易になるものである。
【００５８】
（実施の形態４）
図１４は、本発明の第４の実施の形態における酸素富化機の自在継手部の断面図である。なお、上記実施の形態と同一部分については、同一符号を付してその説明を省略する。
【００５９】
上記実施の形態では、金属部材として板状のバネを用いたが、本実施の形態は、図１４に示されるように、線状のバネ材５１を複数撚り合わせて可撓性を得るようにしたもので、板状の金属部材と異なり、撓み方向が自在になるので扱いやすく、又バネ材５１の１本が万一折れても、他が残っていれば、当面使用できるので、突然酸素富化機が使用不能になる事がない。
【００６０】
また、図１５は、他の例を示すもので、内チューブ４６の外周に複数の線状の金属部材
５２を螺旋状に巻きつけるようにすれば、金属部材５２の各線材が軸対象となり、バランスが良く、曲げ方向による曲げやすさのばらつきが無くなり、非常に扱いやすくなるものである。また、組み立ての際内チューブ４６の端面が無理無くまっすぐに挿入できる。
【００６１】
（実施の形態５）
図１６（ａ）は、本発明の第５の実施の形態における酸素富化機の自在継手部の断面図である。なお、上記実施の形態と同一部分については、同一符号を付してその説明を省略する。
【００６２】
本実施の形態は、外チューブ４５に厚肉部５３を設けるもので、図１６（ａ）は、外チューブ４５の左右の肉厚を厚くして厚肉部５３を形成した例を示している。図１６（ｂ）は、外チューブ４５の内壁にリブを突出させて厚肉部５３を形成したもので、厚肉部５３により、外チューブ４５のこしが強くなり、自在継手部２９を曲げた時に外チューブ４５が内側に凹んで曲がることが無いので、美観を損ねる事が無く、また使用時に外チューブ４５にひねりが加わっても、内部の板バネ４８や、内チューブ４６がずれる事が無い。
【産業上の利用可能性】
【００６３】
以上のように、本発明にかかる酸素富化機は、安価で、加工が容易で、軽量で、しかもコイルにあるようなスプリングバックも無いので、口元に吐出体を位置させるのが極めて容易なもので、家庭用、業務用の酸素富化機において極めて有用である。
【図面の簡単な説明】
【００６４】
【図１】本発明の実施の形態１における酸素富化機の斜視図
【図２】同酸素富化機の内部構成を示す側面図
【図３】同酸素富化機の断面図
【図４】同酸素富化機の天面から見た断面図
【図５】同酸素富化機の酸素富化膜ユニットを構成するモジュールの分解斜視図
【図６】（ａ）同モジュールの斜視図（ｂ）同酸素富化膜ユニットの斜視図
【図７】同酸素富化機の液だまりの構成を示す断面図
【図８】同酸素富化機のヘッドセットの部分断面図
【図９】同酸素富化機の吐出体の側面図
【図１０】同吐出体の断面図
【図１１】（ａ）同酸素富化機の自在継手部の板バネの部分平面図（ｂ）同自在継手部の断面図（ｃ）図１１（ｂ）のＡ−Ａ断面図
【図１２】（ａ）本発明の実施の形態２における酸素富化機の自在継手部の板バネの部分平面図（ｂ）同自在継手部の断面図（ｃ）図１２（ｂ）のＢ−Ｂ断面図
【図１３】（ａ）本発明の第３の実施の形態における酸素富化機の自在継手部の正面図（ｂ）図１３（ａ）のＣ−Ｃ断面図
【図１４】（ａ）本発明の第４の実施の形態における酸素富化機の自在継手部の断面図（ｂ）図１４（ａ）のＤ−Ｄ断面図
【図１５】（ａ）他の例を示す酸素富化機の自在継手部の断面図（ｂ）図１５（ａ）のＥ−Ｅ断面図
【図１６】（ａ）本発明の第５の実施の形態における酸素富化機の自在継手部の断面図（ｂ）他の例を示す自在継手部の断面図
【符号の説明】
【００６５】
１    本体
２    酸素富化膜ユニット（酸素富化手段）
４    酸素富化膜
１０  ポンプ（吸引手段）
１２  吐出部
１３  ヘッドセットユニット（酸素富化空気吐出手段）
２１  吐出体
２９  自在継手部
４１  継パイプ
４５  外チューブ
４６  内チューブ
４８  板バネ（金属部材）
４９  軟質部材
５３  厚肉部
【図１】
2005261707.tif 000003
【図２】
2005261707.tif 000004
【図３】
2005261707.tif 000005
【図４】
2005261707.tif 000006
【図５】
2005261707.tif 000007
【図６】
2005261707.tif 000008
【図７】
2005261707.tif 000009
【図８】
2005261707.tif 000010
【図９】
2005261707.tif 000011
【図１０】
2005261707.tif 000012
【図１１】
2005261707.tif 000013
【図１２】
2005261707.tif 000014
【図１３】
2005261707.tif 000015
【図１４】
2005261707.tif 000016
【図１５】
2005261707.tif 000017
【図１６】
2005261707.tif 000018